(57)【要約】【課題】画像表示装置において、電子番組表を表示するときに、新たに取得した電子番組表内の番組情報のうち、記憶された電子番組表と異なる番組情報を表示し、ユーザが異なる番組情報を容易に確認できるようにする。【解決手段】ＴＶ受像機は、ＥＰＧ取得可能であり、メモリに記憶された旧ＥＰＧ内のＴＶ番組情報と、旧ＥＰＧよりも後の年月日に新たに取得した新ＥＰＧ内のＴＶ番組情報とを比較して、新ＥＰＧ内にＴＶ番組情報が格納されたＴＶ番組のうち、旧ＥＰＧにＴＶ番組情報が格納されたＴＶ番組と放送時間又は番組名が異なるＴＶ番組の情報を抽出し、変動データとして記憶する。そして、ＴＶ受像機はＥＰＧをディスプレイに表示するときに、変動データの内容に基づくＴＶ番組Ｔ１〜Ｔ５の情報のみを表示させる。【選択図】図６
2014103603.tif 000002
【特許請求の範囲】
【請求項１】
電子番組表を取得する取得手段と、
前記取得手段によって取得された電子番組表を表示する表示手段と、
前記取得手段によって取得された電子番組表を記憶する記憶手段と、
前記記憶手段に記憶された電子番組表内の番組情報と、前記取得手段によって新たに取得された電子番組表内の番組情報とを比較して、該取得手段によって新たに取得された電子番組表に番組情報が格納された番組のうち、前記記憶手段に記憶された電子番組表に番組情報が格納された番組と放送時間又は番組名が異なる番組を抽出する抽出手段と、
前記表示手段に電子番組表を表示するときに、前記抽出手段によって抽出された番組の番組情報を、前記表示手段に表示するように制御する表示制御手段とを備える表示装置。
【請求項２】
前記表示制御手段は、前記表示手段に電子番組表を表示するときに、前記抽出手段によって抽出された番組を含むチャンネル列のみを表示することを特徴とする請求項１に記載の表示装置。
【請求項３】
録画予約番組の情報又は視聴予約番組の情報を記憶する予約番組情報記憶手段をさらに備え、
前記表示制御手段は、前記表示手段に電子番組表を表示するときに、前記抽出手段によって抽出された番組の番組情報に加えて、前記予約番組記憶手段に記録された前記録画予約番組の情報又は前記視聴予約番組の情報を、前記表示手段に表示することを特徴とする請求項１又請求項２に記載の表示装置。
【請求項４】
前記表示制御手段は、前記表示手段に電子番組表を表示するときに、前記抽出手段によって抽出された番組のうち、１日分の番組の番組情報を１画面に表示することを特徴とする請求項１乃至請求項３のいずれか一項に記載の表示装置。
【請求項５】
前記抽出手段によって抽出された番組に優先順位を付与する付与手段をさらに備え、
前記表示制御手段は、前記表示手段に電子番組表を表示するときに、前記抽出手段によって抽出された番組を、前記付与手段によって付与された優先度の高い順に、前記表示手段に表示することを特徴とする請求項１乃至請求項４のいずれか一項に記載の表示装置。
【請求項６】
前記表示手段に表示された番組を選択するためのカーソルの移動を指示するためのカーソル操作手段と、
前記表示手段に電子番組表が表示されているときに、前記カーソル操作手段が操作されると、前記カーソルが、前記抽出手段によって抽出された番組に対応する電子番組表内の番組の間を移動するように制御する選択制御手段とをさらに備えることを特徴とする請求項１乃至５のいずれか一項に記載の表示装置。
【請求項７】
前記表示制御手段は、前記抽出手段によって抽出された番組が前記カーソルによって選択されたときに、該選択された番組の番組名が取得できない場合、該選択された番組の前回の放送時間帯に相当する時間帯に放送された番組の番組名を表示するように制御することを特徴とする請求項６に記載の表示装置。
【請求項８】
前記抽出手段によって抽出された番組の放送開始時刻まで所定の時間以内になったときに、その旨を報知するためのメッセージを前記表示手段に表示させる報知手段をさらに備えることを特徴とする請求項１乃至７のいずれか一項に記載の表示装置。
【請求項９】
前記取得手段は、前記記憶手段に記憶された電子番組表を取得した時から１週間経過後の電子番組表を取得し、
前記抽出手段は、前記記憶手段に記憶された電子番組表内の番組情報と、前記１週間経過後の電子番組表内の番組情報とを比較して、該１週間経過後の電子番組表に番組情報が格納された番組のうち、前記記憶手段に記憶された電子番組表に番組情報が格納された番組と放送時間又は番組名が異なる番組を抽出することを特徴とする請求項１乃至８のいずれか一項に記載の表示装置。
【発明の詳細な説明】
【技術分野】
【０００１】
本発明は、電子番組表を表示可能な表示装置に関する。
【背景技術】
【０００２】
従来からＥＰＧ（電子番組表）を表示可能なテレビジョン（以下、ＴＶという）受像機が知られている。ユーザは、ＴＶ受像機にＥＰＧを表示させることにより、今後放送される予定のＴＶ番組の放送開始時刻、放送終了時刻、及び番組名などの情報（以下、ＴＶ番組情報という）を確認することができる。
【先行技術文献】
【特許文献】
【０００３】
【特許文献１】特開２００７−２０１５８９号公報
【特許文献２】特開２００７−７４６０３号公報
【特許文献３】特開２０１１−７７７４９号公報
【発明の概要】
【発明が解決しようとする課題】
【０００４】
ところで、毎週月曜日の１８：００〜１９：００に放送されるニュース番組のように、同じ曜日の同じ放送時間に定期的に放送されるＴＶ番組のＥＰＧ内のＴＶ番組情報は、毎週同じであることが多い。ユーザによっては、ＴＶ受像機にＥＰＧ（新ＥＰＧという）を表示させるときに、新ＥＰＧ内のＴＶ番組情報のうち、新ＥＰＧよりも過去のＥＰＧ（以下、旧ＥＰＧという）内のＴＶ番組情報とは異なるＴＶ番組情報を容易に確認したいという要望がある。すなわち、ＴＶ受像機に新ＥＰＧを表示させるときに、上記ニュース番組のように、今週のＥＰＧ（新ＥＰＧ）内のＴＶ番組情報と、先週のＥＰＧ（旧ＥＰＧ）内のＴＶ番組情報とが同じであるＴＶ番組情報以外のＴＶ番組情報を容易に確認したい。
【０００５】
しかしながら、従来のＴＶ受像機では、新ＥＰＧを表示させるときに、上記ニュース番組のように、新ＥＰＧ内のＴＶ番組情報と旧ＥＰＧ内のＴＶ番組情報とが同じであるＴＶ番組情報も表示される。従って、ユーザが、新ＥＰＧ内のＴＶ番組情報のうち、旧ＥＰＧ内のＴＶ番組情報とは異なるＴＶ番組情報を容易に確認できないという問題がある。
【０００６】
上記問題に対して、引用文献１には、前回表示した旧番組情報から算出した比較情報と、新番組情報を表示するときに算出する比較情報とを比較することにより、情報の変更を検出し、検出した差分情報に基づいて、表示色を変更する情報更新通知装置が開示されている。しかしながら、この情報更新通知装置では、旧番組情報と新番組情報との差分を確認する際に、ユーザは、多くの番組情報の中から表示色が変更された箇所を探し出す必要があるため、上記問題を解決できない。
【０００７】
また、引用文献２には、番組表を連続的にスクロールしているときには、選択対象のチャンネル列の番組と時間軸のみを表示更新し、その他のチャンネルは文字を表示しない等の簡略表示を行い、連続スクロール操作を終えたときに、その他のチャンネルを通常表示に戻す電子番組ガイド表示装置が開示されている。しかしながら、この電子番組ガイド表示装置は、新ＥＰＧ内のＴＶ番組情報のうち、旧ＥＰＧ内のＴＶ番組情報と異なるＴＶ番組情報を表示させるものではないため、上記問題を解決できない。
【０００８】
また、引用文献３には、出力映像の立体表示の状況に合わせて表示用グラフィックデータを生成する際に一部あるいは全部を立体表示用データとすることによって使用者に違和感の無いグラフィックデータを生成し、特に電子番組表データ生成に際しては、特定範囲を立体化して表示させる受信装置及び再生装置が開示されている。しかしながら、この受信装置及び再生装置は、新ＥＰＧ内のＴＶ番組情報のうち、旧ＥＰＧ内のＴＶ番組情報と異なるＴＶ番組情報を表示させるものではないため、上記問題を解決できない。
【０００９】
本発明は、上述した問題点を解決するためになされたものであり、電子番組表を表示するときに、新たに取得した電子番組表内の番組情報のうち、記憶された電子番組表と異なる番組情報を表示でき、ユーザが異なる番組情報を容易に確認できる表示装置を提供することを目的とする。
【課題を解決するための手段】
【００１０】
上記目的を達成するために本発明の一態様の表示装置は、電子番組表を取得する取得手段と、前記取得手段によって取得された電子番組表を表示する表示手段と、前記取得手段によって取得された電子番組表を記憶する記憶手段と、前記記憶手段に記憶された電子番組表内の番組情報と、前記取得手段によって新たに取得された電子番組表内の番組情報とを比較して、該取得手段によって新たに取得された電子番組表に番組情報が格納された番組のうち、前記記憶手段に記憶された電子番組表に番組情報が格納された番組と放送時間又は番組名が異なる番組を抽出する抽出手段と、前記表示手段に電子番組表を表示するときに、前記抽出手段によって抽出された番組の番組情報を、前記表示手段に表示するように制御する表示制御手段とを備えるものである。
【００１１】
上記構成においては、抽出手段が、記憶手段に記憶された電子番組表内の番組情報と、取得手段によって新たに取得された電子番組表内の番組情報とを比較して、取得手段によって新たに取得された電子番組表に番組情報が格納された番組のうち、記憶手段に記憶された電子番組表に番組情報が格納された番組と放送時間又は番組名が異なる番組を抽出する。そして、表示制御手段が、表示手段に電子番組表を表示するときに、抽出手段によって抽出された番組の番組情報を表示手段に表示させる。そのため、電子番組表を表示するときに、取得手段によって新たに取得された電子番組表に番組情報が格納された番組のうち、記憶手段に記憶された電子番組表に番組情報が格納された番組と放送時間又は番組名が異なる番組の番組情報を表示させることができる。従って、ユーザは、取得手段によって新たに取得された電子番組表に番組情報が格納された番組のうち、記憶手段に記憶された電子番組表に番組情報が格納された番組と放送時間又は番組名が異なる番組の番組情報を容易に確認できる。
【００１２】
前記表示制御手段は、前記表示手段に電子番組表を表示するときに、前記抽出手段によって抽出された番組を含むチャンネル列のみを表示することが望ましい。
【００１３】
上記構成においては、表示制御手段が、電子番組表を表示するときに、抽出手段によって抽出された番組を含むチャンネル列のみを表示するので、ユーザは、抽出手段によって抽出された番組の番組情報をさらに容易に確認できる。
【００１４】
前記表示装置は、録画予約番組の情報又は視聴予約番組の情報を記憶する予約番組情報記憶手段をさらに備え、前記表示制御手段は、前記表示手段に電子番組表を表示するときに、前記抽出手段によって抽出された番組の番組情報に加えて、前記予約番組記憶手段に記録された前記録画予約番組の情報又は前記視聴予約番組の情報を、前記表示手段に表示することが望ましい。
【００１５】
上記構成においては、表示制御手段が、電子番組表を表示するときに、抽出手段によって抽出された番組の番組情報に加えて、予約番組記憶手段に記録された録画予約番組の情報又は視聴予約番組の情報を、表示手段に表示する。そのため、ユーザは、抽出手段によって抽出された番組の番組情報だけでなく、さらに録画予約番組の情報又は視聴予約番組の情報も容易に確認することができる。
【００１６】
前記表示制御手段は、前記表示手段に電子番組表を表示するときに、前記抽出手段によって抽出された番組のうち、１日分の番組の番組情報を１画面に表示することが望ましい。
【００１７】
上記構成においては、表示制御手段が、電子番組表を表示するときに、抽出手段によって抽出された番組のうち、１日分の番組の番組情報を１画面に表示する。そのため、ユーザは、１画面を見るだけで、抽出手段によって抽出された番組の番組情報の１日分の全てを容易に確認できる。
【００１８】
前記表示装置は、前記抽出手段によって抽出された番組に優先順位を付与する付与手段をさらに備え、前記表示制御手段は、前記表示手段に電子番組表を表示するときに、前記抽出手段によって抽出された番組を、前記付与手段によって付与された優先度の高い順に、前記表示手段に表示することが望ましい。
【００１９】
上記構成においては、表示制御手段が、電子番組表を表示するときに、抽出手段によって抽出された番組を、付与手段によって付与された優先度の高い順に表示する。そのため、ユーザは、抽出手段によって抽出された番組を優先度の高い順に容易に確認することができ、利便性が向上する。
【００２０】
前記表示装置は、前記表示手段に表示された番組を選択するためのカーソルの移動を指示するためのカーソル操作手段と、前記表示手段に電子番組表が表示されているときに、前記カーソル操作手段が操作されると、前記カーソルが、前記抽出手段によって抽出された番組に対応する電子番組表内の番組の間を移動するように制御する選択制御手段とをさらに備えることが望ましい。
【００２１】
上記構成においては、電子番組表が表示されているときにカーソル操作手段が操作されると、選択制御手段は、カーソルが、抽出手段によって抽出された番組の間を移動するように制御する。そのため、ユーザは、電子番組表が表示されているときに、抽出手段によって抽出された番組を容易に選択できるため、利便性が向上する。
【００２２】
前記表示制御手段は、前記抽出手段によって抽出された番組が前記カーソルによって選択されたときに、該選択された番組の番組名が取得できない場合、該選択された番組の前回の放送時間帯に相当する時間帯に放送された番組の番組名を表示するように制御することが望ましい。
【００２３】
上記構成においては、抽出手段によって抽出された番組がカーソルによって選択されたときに、選択された番組の番組名が取得できない場合、表示制御手段は、この選択された番組の前回の放送時間帯に相当する時間帯に放送された番組の番組名を表示する。そのため、ユーザは、カーソルによって選択された、上記の番組の前回の放送時間帯に相当する時間帯に放送された番組の番組名を容易に知ることができるので、利便性が向上する。
【００２４】
前記表示装置は、前記抽出手段によって抽出された番組の放送開始時刻まで所定の時間以内になったときに、その旨を報知するためのメッセージを前記表示手段に表示させる報知手段をさらに備えることが望ましい。
【００２５】
上記構成においては、報知手段が、抽出手段によって抽出された番組の放送開始時刻まで所定の時間以内になったときに、その旨を報知するためのメッセージを表示させる。そのため、ユーザは、抽出手段によって抽出された番組がまもなく放送開始されることを容易に知ることができるので、利便性が向上する。
【００２６】
前記取得手段は、前記記憶手段に記憶された電子番組表を取得した時から１週間経過後の電子番組表を取得し、前記抽出手段は、前記記憶手段に記憶された電子番組表内の番組情報と、前記１週間経過後の電子番組表内の番組情報とを比較して、該１週間経過後の電子番組表に番組情報が格納された番組のうち、前記記憶手段に記憶された電子番組表に番組情報が格納された番組と放送時間又は番組名が異なる番組を抽出することが望ましい。
【００２７】
上記構成においては、取得手段が、記憶手段に記憶された電子番組表を取得した時から１週間経過後の電子番組表を取得する。そして、抽出手段が、記憶手段に記憶された電子番組表内の番組情報と、１週間経過後の電子番組表内の番組情報とを比較して、１週間経過後の電子番組表に番組情報が格納された番組のうち、記憶手段に記憶された電子番組表に番組情報が格納された番組と放送時間又は番組名が異なる番組を抽出する。そのため、電子番組表を表示するときに、１週間経過後の電子番組表に番組情報が格納された番組のうち、記憶手段に記憶された電子番組表に番組情報が格納された番組と放送時間又は番組名が異なる番組の番組情報を表示させることができる。従って、ユーザは、１週間経過後の電子番組表に番組情報が格納された番組のうち、記憶手段に記憶された電子番組表に番組情報が格納された番組と放送時間又は番組名が異なる番組の番組情報を容易に確認できる。
【発明の効果】
【００２８】
本発明によれば、電子番組表を表示するときに、取得手段によって新たに取得された電子番組表に番組情報が格納された番組のうち、記憶手段に記憶された電子番組表に番組情報が格納された番組と放送時間又は番組名が異なる番組の番組情報を表示させることができる。従って、ユーザは、取得手段によって新たに取得された電子番組表に番組情報が格納された番組のうち、記憶手段に記憶された電子番組表に番組情報が格納された番組と放送時間又は番組名が異なる番組の番組情報を容易に確認できる。
【図面の簡単な説明】
【００２９】
【図１】本発明の一実施形態に係るＴＶ受像機の内部構成を示すブロック図。
【図２】上記ＴＶ受像機における変動データの取得処理を示すフローチャート。
【図３】上記ＴＶ受像機における変動データ抽出処理を示すフローチャート。
【図４】上記ＴＶ受像機におけるＥＰＧの表示処理を示すフローチャート。
【図５】上記ＴＶ受像機のディスプレイに表示されるＥＰＧの一例を示す説明図。
【図６】上記ＴＶ受像機のディスプレイに表示されるＥＰＧの別の一例を示す説明図。
【図７】上記ＴＶ受像機のディスプレイに表示されるＥＰＧのさらに別の一例を示す説明図。
【図８】上記ＴＶ受像機のディスプレイに表示されるＥＰＧのさらに別の一例を示す説明図。
【図９】上記ＴＶ受像機のディスプレイに表示されるＥＰＧのさらに別の一例を示す説明図。
【図１０】上記ＴＶ受像機のディスプレイに表示されるＥＰＧのさらに別の一例を示す説明図。
【図１１】上記ＴＶ受像機のディスプレイに表示されるＥＰＧのさらに別の一例を示す説明図。
【図１２】上記ＴＶ受像機における変動データの報知処理を示すフローチャート。
【図１３】上記ＴＶ受像機のディスプレイに表示される変動データの報知の一例を示す説明図。
【図１４】上記ＴＶ受像機のディスプレイに表示される変動データの報知の別の一例を示す説明図。
【図１５】上記ＴＶ受像機のディスプレイに表示される変動データの報知のさらに別の一例を示す説明図。
【発明を実施するための形態】
【００３０】
以下、本発明の一実施形態に係るテレビジョン受像機について、図１を参照して説明する。図１は、テレビジョン（以下、ＴＶ）受信機（表示装置）１の概略構成を示す。ＴＶ受像機１は、放送局から受信したＥＰＧ（電子番組表）を表示可能な機器である。ユーザは、ＴＶ受像機１にＥＰＧを表示させることにより、今後放送される予定のＴＶ番組の放送開始時刻、放送終了時刻、及び番組名などの情報（以下、ＴＶ番組情報という）を確認できる。また、ＴＶ受像機１は、ＴＶ番組の視聴予約や録画予約も可能な機器である。
【００３１】
ＴＶ受像機１は、アンテナ（図示せず）に接続されたチューナ部１１と、映像を表示するディスプレイ（表示手段）１２と、音声を出力するスピーカ１３と、ユーザによって操作される操作部（カーソル操作手段、付与手段）１４とを備える。また、ＴＶ受像機１は、メモリ（記憶手段、予約番組情報記憶手段）１５と、チューナ部１１によって受信されたＴＶ番組を録画するハードディスク（以下、ＨＤＤという）１６と、制御部（表示制御手段、選択制御手段、付与手段、報知手段）１０とをさらに備える。
【００３２】
チューナ部１１は、放送局から配信される各チャンネルのデジタル放送信号を受信して、このデジタル放送信号に対して復調処理等を行い、復調の結果得られた映像信号及び音声信号と、ＥＰＧのデータとを制御部１０に出力する。
【００３３】
ディスプレイ１２は、チューナ部１１によって受信されたＴＶ番組の映像や、ＥＰＧを表示する。スピーカ１３は、チューナ部１１によって受信されたＴＶ番組の音声を出力する。
【００３４】
操作部１４は、ユーザによって操作される十字キー１４ａと決定キー１４ｂとを含むリモコン装置等で構成される。ユーザは、十字キー１４ａと決定キー１４ｂを操作することにより、ディスプレイ１２に表示されるカーソルの移動の指示や所望のＴＶ番組の視聴予約や録画予約の指示を行う。
【００３５】
メモリ１５は、ＥＰＧ１５ａと、録画予約番組１５ｃと、視聴予約番組１５ｄと、変動データ１５ｅと、優先順位情報１５ｆとを含む各種データを記憶している。
【００３６】
録画予約番組１５ｃは、ユーザによって入力された録画予約番組のチャンネル、放送開始時刻、及び放送終了時刻等の情報を記憶である。視聴予約番組１５ｄは、ユーザによって入力された視聴予約番組のチャンネル、放送開始時刻、及び放送終了時刻等の情報を記憶である。
【００３７】
変動データ１５ｅは、ある年月日のＥＰＧ１５ａ（以下、旧ＥＰＧという）と、旧ＥＰＧを取得した年月日よりも後の年月日（例えば、一週間後）のＴＶ番組情報を格納したＥＰＧ（以下、新ＥＰＧという）において、新ＥＰＧにＴＶ番組情報が格納されたＴＶ番組のうち、旧ＥＰＧにＴＶ番組情報が格納されたＴＶ番組と放送時間又は番組名が異なるＴＶ番組のデータである。優先順位情報１５ｆは、ユーザ入力や視聴頻度に応じて設定された各ＴＶ番組の優先順位を記憶する。
【００３８】
制御部１０は、再生処理部１０ａと、録画処理部１０ｂと、ＥＰＧ取得部（取得手段）１０ｃと、変動データ抽出部（抽出手段）１０ｄと、ＥＰＧ表示部１０ｅとを有し、ユーザによる操作部１４の操作に基づいて、ＴＶ受像機１の各部の制御を行う。また、制御部１０は、変動データ１５ｅ内のＴＶ番組の放送開始を、ユーザに知らせるための報知処理等を行う。
【００３９】
再生処理部１０ａは、チューナ部１１を用いて受信したＴＶ番組の映像をディスプレイ１２に表示させると共に、このＴＶ番組の音声をスピーカ１３に出力させる。また、再生処理部１０ａは、ＨＤＤ１６に録画されたＴＶ番組を再生して、再生したＴＶ番組の映像をディスプレイ１２に表示させると共に、このＴＶ番組の音声をスピーカ１３に出力させる。録画処理部１０ｂは、ユーザによるＴＶ番組の録画の指示や、録画予約番組１５ｃに入力されたＴＶ番組の情報に基づいて、チューナ部１１を用いて受信したＴＶ番組をＨＤＤ１６に録画する。
【００４０】
ＥＰＧ取得部１０ｃは、チューナ部１１を用いて、放送局からＥＰＧ１５ａのデータを取得し、メモリ１５に記憶させる。
【００４１】
変動データ抽出部１０ｄは、メモリ１５に記憶されたＥＰＧ１５ａ（旧ＥＰＧ）内のＴＶ番組情報と、ＥＰＧ取得部１０ｃによって新たに取得されたＥＰＧ（新ＥＰＧ）内のＴＶ番組情報とをそれぞれ用いて、変動データ１５ｅを抽出してメモリ１５に記憶させる処理を行う。本処理の詳細については後述する。
【００４２】
ＥＰＧ表示部１０ｅは、ＥＰＧ１５ａ又は変動データ１５ｅの内容に基づいて、ＥＰＧをディスプレイ１２に表示させる。
【００４３】
次に、ＴＶ受像機１における変動データ１５ｅの取得処理について、図２に示すフローチャートを参照して説明する。
【００４４】
制御部１０は、ＥＰＧ取得部１０ｃを用いて新ＥＰＧを取得した後（Ｓ１）、日付が変わったときに（Ｓ２でＹＥＳ）、すなわち、午前０時になったときに、変動データ抽出部１０ｄを用いて変動データ抽出処理を行い（Ｓ３）、抽出した変動データ１５ｅをメモリ１５に記憶させる（Ｓ４）。上記Ｓ３における変動データを取得する処理は、制御部１０が、変動データ抽出部１０ｄを用いて、旧ＥＰＧ内のＴＶ番組情報と、新ＥＰＧ内のＴＶ番組情報とを比較して、新ＥＰＧ内にＴＶ番組情報が格納されたＴＶ番組のうち、旧ＥＰＧにＴＶ番組情報が格納されたＴＶ番組と放送時間又は番組名が異なるＴＶ番組の情報を抽出する処理である。
【００４５】
次に、ＴＶ受像機１における上記変動データ抽出処理のさらに詳細について、図３に示すフローチャートを参照して説明する。ここでは、旧ＥＰＧが本日のＥＰＧであり、新ＥＰＧが本日から１週間後のＥＰＧであるものとする。
【００４６】
まず、制御部１０は、変動データ抽出部１０ｄを用いて、旧ＥＰＧ内のＴＶ番組の中から、本日放送される予定のＴＶ番組（以下、旧ＴＶ番組という）を選択し、選択した旧ＴＶ番組の放送時間と番組名とを取得する（Ｓ１１）。そして、取得した旧ＴＶ番組の放送時間の１週間後に相当する放送時間に放送されるＴＶ番組（以下、新ＴＶ番組という）の放送時間と番組名とを新ＥＰＧから取得する（Ｓ１２）。
【００４７】
そして、制御部１０は、取得した旧ＴＶ番組と新ＴＶ番組の放送時間が一致する場合であって（Ｓ１３でＹＥＳ）、旧ＴＶ番組と新ＴＶ番組の番組名が一致するとき（Ｓ１４でＹＥＳ）、本日放送される予定の全てのＴＶ番組について新ＴＶ番組との比較が終了していれば（Ｓ１５でＹＥＳ）、本処理を終了する。一方、本日放送される予定の全てのＴＶ番組（旧ＴＶ番組）について新ＴＶ番組と比較していない場合（Ｓ１５でＮＯ）、制御部１０は、変動データ抽出部１０ｄを用いて、旧ＥＰＧ内のＴＶ番組の中から、まだ選択していない旧ＴＶ番組を選択し（Ｓ１６）、上記Ｓ１２以降の処理を繰り返す。
【００４８】
一方、制御部１０は、旧ＴＶ番組と新ＴＶ番組の放送時間が一致しない場合であって（Ｓ１３でＮＯ）、旧ＴＶ番組の方が新ＴＶ番組よりも放送開始時刻が早いとき（Ｓ１７でＹＥＳ）、新ＴＶ番組の１つ前に放送される予定のＴＶ番組のｃｈ、放送時間、及び番組名と、旧ＴＶ番組の番組名とを変動データ１５ｅとして抽出する（Ｓ１８）。一方、新ＴＶ番組の方が旧ＴＶ番組よりも放送開始時刻が早いとき（Ｓ１７でＮＯ）、新ＴＶ番組のｃｈ、放送時間、及び番組名と、旧ＴＶ番組の１つ前に放送されたＴＶ番組の番組名とを変動データ１５ｅとして抽出する（Ｓ１９）。
【００４９】
一方、制御部１０は、取得した旧ＴＶ番組と新ＴＶ番組の放送時間が一致する場合であって（Ｓ１３でＹＥＳ）、旧ＴＶ番組と新ＴＶ番組の番組名が一致しないとき（Ｓ１４でＮＯ）、新ＴＶ番組のｃｈ、放送時間、及び番組名と、旧ＴＶ番組の番組名とを変動データ１５ｅとして抽出する（Ｓ２０）。なお、新ＴＶ番組の番組名が未定である場合は、番組名を「未定」とし、番組名が未取得である場合は、番組名を「未取得」とし変動データ１５ｅを抽出する。
【００５０】
次に、ＴＶ受像機１におけるＥＰＧの表示処理の一例について、図４に示すフローチャートを参照して説明する。ユーザによって操作部１４が操作され、ＥＰＧの表示が指示されると（Ｓ２１でＹＥＳ）、制御部１０が、ＥＰＧ表示部１０ｅを用いて変動データ１５ｅの内容に基づくＥＰＧをディスプレイ１２に表示する（Ｓ２２）。ここで表示されるＥＰＧの詳細については後述する。
【００５１】
次に、ＴＶ受像機１のディスプレイ１２に表示されるＥＰＧの一例について、図５を参照して説明する。ここでは、来週の２：００〜８：００に放送される予定のＴＶ番組を全て表示させるものとする。図中のＣはカーソルを示し、ＤはカーソルＣによって選択されたＴＶ番組の放送時間、番組名、及び番組詳細を示す。また、図中のＴ１〜Ｔ５は、変動データ１５ｅに格納されたＴＶ番組を示す。すなわち、ＴＶ番組Ｔ１〜Ｔ５は、上記図３に示した変動データ抽出処理において、新ＥＰＧのＴＶ番組のうち、旧ＥＰＧと比較した結果、放送時間又は番組名が異なるＴＶ番組である。ディスプレイ１２におけるＴＶ番組Ｔ１〜Ｔ５の表示部分の背景は、これら以外のＴＶ番組の背景色と異なっている。
【００５２】
次に、ＴＶ受像機１のディスプレイ１２に表示されるＥＰＧの別の一例について、図６を参照して説明する。図６のＥＰＧは、上記図５においてＴＶ番組Ｔ１〜Ｔ５の情報のみを表示させるものである。すなわち、図６において、ディスプレイ１２には、変動データ１５ｅのＴＶ番組情報がＥＰＧとして表示される。図６に示すＥＰＧをディスプレイ１２に表示しているとき、ユーザによって操作部１４の十字キー１４ａが操作されると、制御部１０は、カーソルＣがＴＶ番組Ｔ１〜Ｔ５のいずれかのＴＶ番組の間を移動するように制御する。例えば、カーソルＣがＴＶ番組Ｔ１を選択しているとき、ユーザが十字キー１４ａを操作してカーソルＣの右への移動を指示すると、制御部１０は、カーソルＣをＴＶ番組Ｔ１からＴＶ番組Ｔ５に移動させる。
【００５３】
次に、ＴＶ受像機１のディスプレイ１２に表示されるＥＰＧのさらに別の一例について、図７を参照して説明する。図７のＥＰＧ表示は、上記図６に示したＥＰＧ表示において、ＴＶ番組Ｔ１〜Ｔ５のいずれかを含むチャンネル列のみを表示するものである。
【００５４】
次に、ＴＶ受像機１のディスプレイ１２に表示されるＥＰＧのさらに別の一例について、図８を参照して説明する。図８のＥＰＧ表示は、上記図７に示したＥＰＧ表示において、さらに、録画予約番組１５ｃ及び視聴予約番組１５ｄのＴＶ番組も表示させるものである。ＴＶ番組Ｐ１は視聴予約番組１５ｄを示し、ＴＶ番組Ｑ１は録画予約番組１５ｃを示す。
【００５５】
次に、ＴＶ受像機１のディスプレイ１２に表示されるＥＰＧのさらに別の一例について、図９を参照して説明する。図９のＥＰＧ表示は、上記図６に示したＥＰＧ表示において、来週の１日分（０：００〜２４：００）の変動データ１５ｅ内のＴＶ番組をディスプレイ１２の１画面に表示するものである。ＴＶ番組Ｔ１〜Ｔ６のそれぞれは、変動データ１５ｅ内のＴＶ番組である。ＴＶ番組Ｔ６は、２０：００〜２２：００に放送予定のＴＶ番組であり、上記図６のＥＰＧには表示されていなかった番組である。
【００５６】
次に、ＴＶ受像機１のディスプレイ１２に表示されるＥＰＧのさらに別の一例について、図１０を参照して説明する。図１０のＥＰＧ表示は、上記図６に示したＥＰＧ表示において、優先度の高い順にＴＶ番組を表示したものである。ここでは、ディスプレイ１２の左画面から優先順位の高いＴＶ番組を含むチャンネル列を表示している。優先順位の低いＴＶ番組を含むチャンネル列は右側に表示されるため、ディスプレイ１２の１画面では表示されない。
【００５７】
次に、ＴＶ受像機１のディスプレイ１２に表示されるＥＰＧのさらに別の一例について、図１１を参照して説明する。上記図６に示したＥＰＧ表示において、来週のＴＶ番組Ｔ３の番組名が「未定」である場合を示す。カーソルＣが、ＴＶ番組Ｔ３を選択しているとき、制御部１０は、ＴＶ番組Ｔ３の番組名が取得できないので、旧ＥＰＧ内のＴＶ番組情報から、ＴＶ番組Ｔ３の放送時間帯に相当する本日（新ＥＰＧ内のＴＶ番組の放送日の１週間前）の時間帯に放送されたＴＶ番組の番組名を取得し、これをディスプレイ１２に表示する。すなわち、図１１のＤに示すように、制御部１０は、本日の番組名が「ドラマ  太陽とねずみのポンた」であった旨をディスプレイ１２に表示する。なお、ここでは、ＴＶ番組Ｔ３の番組名が「未定」である場合を示したが、ＴＶ番組Ｔ３の番組名が「未取得」である場合も、同様の表示を行う。
【００５８】
次に、ＴＶ受像機１における変動データの報知処理について、図１２に示すフローチャートを参照して説明する。ここでは、ユーザによってＴＶ番組が視聴中であるものとする。
【００５９】
まず、変更点表示機能がオンである場合（Ｓ４１でＹＥＳ）、制御部１０は、変動データ１５ｅ内の各ＴＶ番組の放送開始時刻を判断する（Ｓ４２）。その結果、変動データ１５ｅ内の各ＴＶ番組のうち、放送開始時刻が今から５分以内のＴＶ番組があるとき（Ｓ４３でＹＥＳ）、制御部１０は、放送開始時刻が今から５分以内であるＴＶ番組のｃｈと番組名とを強調してディスプレイ１２に表示する（Ｓ４４）。
【００６０】
一方、変動データ１５ｅ内の各ＴＶ番組のうち、放送開始時刻が今から５分以内のＴＶ番組がないとき（Ｓ４３でＮＯ）、制御部１０は、今から放送開始時刻が近い順番で、変動データ１５ｅ内のＴＶ番組のｃｈと番組名とを１０秒間、ディスプレイに表示する（Ｓ４５）。なお、上記Ｓ４４及びＳ４５において、ユーザが所望のｃｈのＴＶ番組のみを表示させるものであってもよい。また、現在視聴中のｃｈ以外のｃｈで放送予定のＴＶ番組のみを表示させるものであってもよい。
【００６１】
次に、ＴＶ受像機１における変動データ１５ｅ内のＴＶ番組の報知表示について、図１３乃至図１５を参照して説明する。図１３中のＥ１は、ディスプレイ１２に表示される通常のＴＶ番組のｃｈと番組名の表示である。図１４中のＥ２は、上記図１２のＳ４４において強調してディスプレイ１２に表示されるＴＶ番組のｃｈと番組名である。図１４のＥ２では、図１３のＥ１よりも文字が太く強調されている。なお、視聴中のＴＶ番組のｃｈを、Ｅ２で表示されたＴＶ番組のｃｈに切り替えると、Ｅ２の表示は消えるものであってもよい。
【００６２】
図１５中のＥ３は、上記図１２のＳ４５において変動データ１５ｅ内のＴＶ番組のｃｈと番組名とを１０秒間、ディスプレイに表示するものである。Ｅ３では、番組名をスクロールさせて、順番にＴＶ番組のｃｈと番組名を表示している。
【００６３】
上述したように、本実施形態に係るＴＶ受像機１によれば、変動データ抽出部１０ｄが、旧ＥＰＧ内のＴＶ番組情報と、ＥＰＧ取得部１０ｃによって新たに取得されたＥＰＧ（新ＥＰＧ）内のＴＶ番組情報とを比較して、新ＥＰＧにＴＶ番組情報が格納されたＴＶ番組のうち、旧ＥＰＧに番組情報が格納されたＴＶ番組と放送時間又は番組名が異なるＴＶ番組を抽出して、変動データ１５ｅに記憶する。そして、制御部１０が、ディスプレイ１２にＥＰＧを表示するときに、変動データ抽出部１０ｄによって抽出されたＴＶ番組のＴＶ番組情報（変動データ１５ｅ内のＴＶ番組のＴＶ番組情報）をディスプレイ１２に表示させる。そのため、図６に示したように、ＥＰＧを表示するときに、新ＥＰＧにＴＶ番組情報が格納されたＴＶ番組のうち、旧ＥＰＧにＴＶ番組情報が格納されたＴＶ番組と放送時間又は番組名が異なるＴＶ番組のＴＶ番組情報を、新ＥＰＧにおけるＴＶ番組情報として表示させることができる。従って、ユーザは、新ＥＰＧのＴＶ番組情報のうち、旧ＥＰＧにＴＶ番組情報が格納されたＴＶ番組と放送時間又は番組名が異なるＴＶ番組のＴＶ番組情報を容易に確認できる。
【００６４】
また、本実施形態に係るＴＶ受像機１によれば、ＥＰＧ取得部１０ｃが、メモリ１５に記憶されたＥＰＧ１５ａ（旧ＥＰＧ）を取得した時から１週間経過後のＥＰＧ（新ＥＰＧ）を取得する。そして、変動データ抽出部１０ｄが、旧ＥＰＧ内のＴＶ番組情報と、新ＥＰＧ内のＴＶ番組情報とを比較して、１週間経過後のＥＰＧ（新ＥＰＧ）にＴＶ番組情報が格納されたＴＶ番組のうち、旧ＥＰＧにＴＶ番組情報が格納されたＴＶ番組と放送時間又は番組名が異なる番組を抽出する。そのため、ＥＰＧを表示するときに、１週間経過後のＥＰＧにＴＶ番組情報が格納されたＴＶ番組のうち、旧ＥＰＧにＴＶ番組情報が格納されたＴＶ番組と放送時間又は番組名が異なるＴＶ番組のＴＶ番組情報を表示させることができる。従って、ユーザは、１週間経過後のＥＰＧ（新ＥＰＧ）にＴＶ番組情報が格納されたＴＶ番組のうち、旧ＥＰＧにＴＶ番組情報が格納されたＴＶ番組と放送時間又は番組名が異なるＴＶ番組のＴＶ番組情報を容易に確認できる。
【００６５】
また、本実施形態に係るＴＶ受像機１によれば、図６に示すように、制御部１０は、ＥＰＧを表示しているときに、ユーザによって操作部１４の十字キー１４ａが操作されると、カーソルが、変動データ抽出部１０ｄによって抽出されたＴＶ番組に対応する、新ＥＰＧ内のＴＶ番組の間を移動するように制御する。そのため、ユーザは、ＥＰＧが表示されているときに、変動データ抽出部１０ｄによって抽出されたＴＶ番組に対応する、ＥＰＧ内のＴＶ番組を容易に選択できるため、利便性が向上する。
【００６６】
また、本実施形態に係るＴＶ受像機１によれば、図７に示すように、制御部１０が、ＥＰＧを表示するときに、変動データ抽出部１０ｄによって抽出されたＴＶ番組を含むチャンネル列のみを表示するので、ユーザは、新ＥＰＧ内のＴＶ番組情報のうち、旧ＥＰＧ内にＴＶ番組情報が格納されたＴＶ番組と放送時間又は番組名が異なるＴＶ番組の番組情報をさらに容易に確認できる。
【００６７】
また、本実施形態に係るＴＶ受像機１によれば、図８に示すように、制御部１０が、ＥＰＧを表示するときに、変動データ抽出部１０ｄによって抽出されたＴＶ番組のＴＶ番組情報に加えて、録画予約番組１５ｃ及び視聴予約番組１５ｄの情報を、ディスプレイ１２に表示する。そのため、ユーザは、新ＥＰＧ内のＴＶ番組情報のうち、旧ＥＰＧにＴＶ番組情報が格納されたＴＶ番組と放送時間又は番組名が異なるＴＶ番組のＴＶ番組情報だけでなく、さらに録画予約番組１５ｃ及び視聴予約番組１５ｄも容易に確認することができる。
【００６８】
また、本実施形態に係るＴＶ受像機１によれば、図９に示すように、制御部１０が、ＥＰＧを表示するときに、変動データ抽出部１０ｄによって抽出されたＴＶ番組のうち、１日分のＴＶ番組のＴＶ番組情報をディスプレイ１２の１画面に表示する。そのため、ユーザは、１画面を見るだけで、変動データ抽出部１０ｄによって抽出されたＴＶ番組の１日分の全てを容易に確認できる。
【００６９】
また、本実施形態に係るＴＶ受像機１によれば、図１０に示すように、制御部１０が、ＥＰＧを表示するときに、変動データ抽出部１０ｄによって抽出されたＴＶ番組を、優先順位情報１５ｆの内容に基づき、付与された優先度の高いＴＶ番組を含むチャンネル列の順に表示する。そのため、ユーザは、新ＥＰＧ内のＴＶ番組情報のうち、旧ＥＰＧにＴＶ番組情報が格納されたＴＶ番組と放送時間又は番組名が異なるＴＶ番組のＴＶ番組情報を優先度の高い順に容易に確認することができ、利便性が向上する。
【００７０】
また、本実施形態に係るＴＶ受像機１によれば、図１１に示すように、制御部１０は、変動データ抽出部１０ｄによって抽出されたＴＶ番組がカーソルによって選択されたときに、選択されたＴＶ番組の番組名が取得できない場合、この選択されたＴＶ番組の前回の放送時間帯に相当する時間帯に放送されたＴＶ番組の番組名を表示する。そのため、ユーザは、カーソルによって選択されたＴＶ番組の前回の放送時間帯に相当する時間帯に放送されたＴＶ番組の番組名を容易に知ることができるので、利便性が向上する。
【００７１】
また、本実施形態に係るＴＶ受像機１によれば、図１２及び図１４に示すように、制御部１０は、変動データ抽出部１０ｄによって抽出されたＴＶ番組の放送開始時刻まで今から５分以内であるとき、その旨を報知するために、今から放送開始時刻まで５分以内のＴＶ番組のｃｈ及び番組名を強調してディスプレイ１２に表示させる。そのため、ユーザは、変動データ抽出部１０ｄによって抽出されたＴＶ番組がまもなく放送開始されることを容易に知ることができるので、利便性が向上する。
【００７２】
また、本実施形態に係るＴＶ受像機１によれば、図１２及び図１５に示すように、制御部１０は、変動データ抽出部１０ｄによって抽出されたＴＶ番組のうち、今から放送開始時刻が近い順番で、変動データ１５ｅ内のＴＶ番組のｃｈと番組名とを１０秒間、ディスプレイに表示する。そのため、ユーザは、変動データ抽出部１０ｄによって抽出されたＴＶ番組のうち、今から放送開始時刻までの時間が短いＴＶ番組を容易に知ることができるので、利便性が向上する。
【００７３】
なお、本発明は、上記実施形態の構成に限られず、発明の趣旨を変更しない範囲で種々の変形が可能である。例えば、上記実施形態において、請求項に示す表示装置がＴＶ受像機である例を示したが、これに限られず、ＥＰＧを取得可能な表示装置であればよい。また、上記実施形態において、変動データ抽出部によって抽出されたＴＶ番組の番組名が取得できない場合、旧ＥＰＧ内のＴＶ番組情報から、このＴＶ番組の前回の放送時間帯に相当する時間帯に放送されたＴＶ番組の番組名を取得する例を示したが、前回における番組名も取得できない場合、さらに前々回の番組名を取得するものであってもよい。
【符号の説明】
【００７４】
１  ＴＶ受像機（表示装置）
１０  制御部（表示制御手段、選択制御手段、付与手段、報知手段）
１０ｃ  ＥＰＧ取得部（取得手段）
１０ｄ  変動データ抽出部（抽出手段）
１２  ディスプレイ（表示手段）
１４  操作部（カーソル操作手段、付与手段）
１５  メモリ（記憶手段、予約番組情報記憶手段）
【図１】
2014103603.tif 000003
【図２】
2014103603.tif 000004
【図３】
2014103603.tif 000005
【図４】
2014103603.tif 000006
【図１２】
2014103603.tif 000007
【図５】
2014103603.tif 000008
【図６】
2014103603.tif 000009
【図７】
2014103603.tif 000010
【図８】
2014103603.tif 000011
【図９】
2014103603.tif 000012
【図１０】
2014103603.tif 000013
【図１１】
2014103603.tif 000014
【図１３】
2014103603.tif 000015
【図１４】
2014103603.tif 000016
【図１５】
2014103603.tif 000017